(57)【特許請求の範囲】
【請求項１】
天面から両側へ曲面を呈する左右側面と垂直な前後面とで囲まれてなる蒲鉾型エアーハウスにおいて、所望の横幅を有してエアーハウスの出入り口の三方を囲む門状に形成された一対の幌は接合し合う互いの面が垂直面をなす垂直縁を有してこれらの垂直縁にスライドファスナーの蝶棒側列歯と箱側列歯を設けて接合自在せしめると共に該垂直縁の反対側をハウスの側面の傾斜角又は屈曲角にほぼ合致する湾曲面をなす湾曲縁をそれぞれに形成しこれらの湾曲縁にスライドファスナーの蝶棒側列歯と箱側列歯のうちのどちらかの列歯のみを互いに異ならせて設置して形成した連結幌と、前後面及び左右側面にそれぞれ出入口を設けてこれら出入口の三方を囲んで一定幅になる布帯を固着設置すると共にそれぞれの布帯に前記一対の連結幌の蝶棒側列歯又は箱側列歯と噛合するスライドファスナの蝶棒側列歯又は箱側列歯のどちらかの列歯のみが設けられたエアーハウスとを形成し、一対の幌を接合した連結幌及び連結幌を分離した一方の幌と他方の幌を適宜に介在させて複数のエアーハウスを直列、並列、T字型、H型に連結することができることを特徴とする連結型エアーハウス。
【請求項２】
前記蒲鉾型エアーハウスは前面出入口にスライドファスナーの箱側列歯を設け後面出入口に蝶棒側列歯を設け左側面出入口に箱側列歯を設け右側面出入口に蝶棒側列歯を設け、前記一対の幌は接合し合う互いの垂直面の垂直縁にスライドファスナーの蝶棒側列歯と箱側列歯を設けると共に前記一対の幌の垂直縁に蝶棒側列歯をもつ一方の幌の湾曲面をなす湾曲縁に箱側列歯を設け、垂直縁に箱側列歯をもつ他方の幌の湾曲面をなす湾曲縁に蝶棒側列歯を設けて形成し、２棟のエアーハウスの前面出入口と後面出入口とを接合して直列に連結し、２棟のエアーハウスのそれぞれの左側面と右側面出入口を向き合せて一対の幌を接合した連結幌を介在させて並列に連結し、１棟のエアーハウスの前面側又は後面出入口と他の１棟の右側面又は左側面出入口を向き合せて連結幌を分離した幌を介在させてT字型に連結し、１棟のエアーハウスの前面出入口と後面出入口に２棟のエアーハウスの左側面出入口と右側面出入口とを向き合せて連結幌を分離した一方の幌と他方の幌を介在させてH型に連結できる請求項１記載の連結型エアーハウス。
【発明の詳細な説明】
【０００１】
【発明の属する技術分野】
本発明は、個々に独立するエア−ハウス同士を連結自在にする連結型エア−ハウスに関するものである。
【０００２】
【従来の技術】
空気を充気すると膨脹して骨格が形成されると共に骨格に取り付けられている天幕布が展張するエア−ハウスは、近年、搬送及び設営に至便であるため多方面で使用されている。
このエア−ハウスは、図８に示すように、逆Ｕ字形に湾曲した数本の並列する縦気柱（イ）とこれら縦気柱（イ）の間に連結された数本の横気柱（ロ）とで骨格が形成され、この骨格に天幕布（ハ）が一体に取り付けられて形成され、前記縦気柱（イ）と横気柱（ロ）に空気を充気することにより骨格が形成されると共に天幕布（ハ）が展張し、該天幕布（ハ）は天面から両側へ山状の曲面を呈する左右側面（ニ）と垂直な前面（ホ）及び後面（ヘ）を形成する所謂蒲鉾型の形状を呈するものが一般的である。
【０００３】
【発明が解決しようとする課題】
しかしながら、前記エア−ハウスは、各気柱（イ）、（ロ）と天幕布（ハ）とを一体に結合して形成しているので、搬送、設営及び撤去等を至便ならしめるには、居住空間の大きさと重量には自ずと制約があり、多くの人や物量を収容するには、個々に独立したエア−ハウスを、数多く設営して使用しなければならなかった。このように、各個に独立したエア−ハウスが点在して設営したのでは各エア−ハウス間を往来するには、一旦、ハウスの外に出なければならないので、悪天候時には不便であるし、ハウス内で医療行為をするときなどは就中不満足であった。
【０００４】
また、二棟のエア−ハウスを連結して、ハウスの外へ出ることなしに二棟のエア−ハウス間を自由に往来できるようにする場合、ハウスの前面（ホ）と後面（ヘ）とは垂直面になるので、特別な連通路を必要とせずに容易に連結できるとしても、設営場所の状況によっては、細長い空き地が確保できず、二棟のエア−ハウスを直列に連結することが不可能なこともある。また、エア−ハウスの側面（ニ）で連結する場合、ハウスは天面から両側へ山状の曲面を呈しているために、エア−ハウスの側面の傾斜によって連結するハウス間に距離が生じるので、側面（ニ）の傾斜に応じた距離の長い特別な連絡路を設けなければ連結することができない。しかし、このような特別な連絡路を一体に設けることは、ハウスの重量を増加することになり、エア−ハウスの設営及び搬送の至便さを考慮すると、個々のエア−ハウスは小型化されて居住空間が狭くなる等の課題があった。
【０００５】
本発明は、上記の点に鑑みてなされたものであって、その目的とするところは、個々に独立している蒲鉾型の二棟のエア−ハウス同士を、曲面を呈する側面と垂直面を呈する前面もしくは後面とを対面させ、又、曲面を呈する側面同士を対面させ、個々のエア−ハウス自体の居住空間を減少することなしに、連絡路をもたせて連結することが可能な大容量の収容能力をもつ連結型エア−ハウスを提供するものである。
【０００６】
【課題を解決するための手段】
上記目的を達成するために、本発明に係る連結型エアーハウスは、天面から両側へ曲面を呈する左右側面と垂直な前後面とで囲まれてなる蒲鉾型エアーハウスにおいて、所望の横幅を有してエアーハウスの出入り口の三方を囲む門状に形成された一対の幌は接合し合う互いの面が垂直面をなす垂直縁を有してこれらの垂直縁にスライドファスナーの蝶棒側列歯と箱側列歯を設けて接合自在せしめると共に該垂直縁の反対側をハウスの側面の傾斜角又は屈曲角にほぼ合致する湾曲面をなす湾曲縁をそれぞれに形成しこれらの湾曲縁にスライドファスナーの蝶棒側列歯と箱側列歯のうちのどちらかの列歯のみを互いに異ならせて設置して形成した連結幌と、前後面及び左右側面にそれぞれ出入口を設けてこれら出入口の三方を囲んで一定幅になる布帯を固着設置すると共にそれぞれの布帯に前記一対の連結幌の蝶棒側列歯又は箱側列歯と噛合するスライドファスナーの蝶棒側列歯又は箱側列歯のどちらかの列歯のみが設けられたエアーハウスとを形成し、一対の幌を接合した連結幌及び連結幌を分離した一方の幌と他方の幌を適宜に介在させて複数のエアーハウスを直列、並列、T字型、H型に連結することができる。
また、前記蒲鉾型エアーハウスは前面出入口にスライドファスナーの箱側列歯を設け後面出入口に蝶棒側列歯を設け左側面出入口に箱側列歯を設け右側面出入口に蝶棒側列歯を設け、前記一対の幌は接合し合う互いの垂直面の垂直縁にスライドファスナーの蝶棒側列歯と箱側列歯を設けると共に前記一対の幌の垂直縁に蝶棒側列歯をもつ一方の幌の湾曲面をなす湾曲縁に箱側列歯を設け、垂直縁に箱側列歯をもつ他方の幌の湾曲面をなす湾曲縁に蝶棒側列歯を設けて形成し、２棟のエアーハウスの前面出入口と後面出入口とを接合して直列に連結し、２棟のエアーハウスのそれぞれの左側面と右側面出入口を向き合せて一対の幌を接合した連結幌を介在させて並列に連結し、１棟のエアーハウスの前面側又は後面出入口と他の１棟の右側面又は左側面出入口を向き合せて連結幌を分離した幌を介在させてT字型に連結し、１棟のエアーハウスの前面出入口と後面出入口に２棟のエアーハウスの左側面出入口と右側面出入口とを向き合せて連結幌を分離した一方の幌と他方の幌を介在させてH型に連結できるのが好ましい。
【０００７】
【発明の実施の形態】
図１は本発明のエア−ハウスを一部切欠して示す斜視図、図２は一対の幌を離反して示す連結幌の斜視図で、エア−ハウスＨは、逆Ｕ字形の複数の縦気柱１とこれらの縦気柱１の間に水平に連結した複数の横気柱２とを一連に連通して骨格が組み立てられ、この骨格には天幕布３が一体に取り付けられて被覆設置され、この天幕布３は、天面から両側へ山状の曲面を呈する左側面４及び右側面５と、垂直面を呈する前面６と後面７を有して骨格全体を覆って設置される。前記天幕布３は、前面６と後面７に前面出入口８、後面出入口９がそれぞれ開設され、左右側面４及び５には左側面出入口１０及び右側面出入口１１を開設して形成される。前記エア−ハウスＨの左右側面出入口１０及び１１は、後述で詳細にするように、連結幌１２を介して本発明の他のエア−ハウスＨの前後面出入口８又は９とを対面させ、また、エア−ハウスＨの左右側面出入口１０又は１１と他のエア−ハウスＨの左右側面出入口１０又は１１とに対面させて連結自在せしめて構成する。
【０００８】
前記連結幌１２は、所望の横幅を有して互いに対称形をなす一対の幌１２ａと１２ｂとからなり、これらの幌１２ａと１２ｂとは、エア−ハウスＨの各出入口８〜１１の三方を囲む門状に形成され、これら幌１２ａと１２ｂは互いに接合し合う各面が垂直面をなす垂直縁１３ａ及び１３ｂを有して、これらの垂直縁１３ａと１３ｂとにはスライドファスナ−の蝶棒側列歯Ａとスライダ−ｓを有する箱側列歯Ｂを互いに対向してそれぞれに設置し、互いの垂直縁１３ａと１３ｂをスライドファスナ−の蝶棒側列歯Ａと箱側列歯Ｂの噛合により接合自在せしめる。また、前記一対の幌１２ａと１２ｂは垂直縁１３ａ及び１３ｂのそれぞれの反対する側にエア−ハウスＨの左右側面４及び５の傾斜角又は屈曲角にほぼ合致する傾斜面又は屈曲面をなす湾曲縁１４ａ及び１４ｂをそれぞれ形成し、これらの湾曲縁１４ａと１４ｂには、スライドファスナ−の蝶棒側列歯Ａと箱側列歯Ｂのうちのどちらかの列歯のみを互いに異ならせて設置する。例えば、図２に示すように、幌１２ａは垂直縁１３ａに蝶棒側列歯Ａを設け、湾曲縁１４ａに箱側列歯Ｂが設けられ、幌１２ｂは垂直縁１３ｂに箱側列歯Ｂを設け、湾曲縁１４ｂには蝶棒側列歯Ａが設けられる。
【０００９】
前記エア−ハウスＨの各出入口８〜１１には、一定幅になる布帯１５を各出入口８〜１１の三方を囲んで一方の縁部で天幕布４に固着設置し、他方の外側縁にはスライドファスナ−の蝶棒側列歯Ａ又は箱側列歯Ｂのうちのどちらかの列歯のみが設けられる。また、エア−ハウスＨの前面出入口８と後面出入口９とは蝶棒側列歯Ａと箱側列歯Ｂのうちのどちらかの列歯のみが互いに異なるように設けられ、左側面出入口１０と左側面出入口１１とは蝶棒側列歯Ａと箱側列歯Ｂのうちのどちらかの列歯のみが互いに異なるように設けるのが好ましい。
【００１０】
前記連結幌１２の各幌１２ａ及び１２ｂに設けた各蝶棒側列歯Ａの蝶棒ｐ及び箱側列歯Ｂの箱ｎは、同じ向き（図２の右側）に位置させて設置される。また、エア−ハウスＨの前面出入口８と後面出入口９に設けた各蝶棒側列歯Ａの蝶棒ｐ及び箱側列歯Ｂの箱ｎは、同じ向き（図１の右側）に位置させて設置され、左側面出入口１０と右側面出入口１１に設けた各蝶棒側列歯Ａの蝶棒ｐ及び箱側列歯Ｂの箱ｎは、同じ向き（図２のエア−ハウスの前面側）に位置させて設置するのが好ましい。
【００１１】
二棟のエア−ハウスＨ同士を、曲面を呈する左側面４若しくは右側面５と垂直面を呈する前面６又は後面７とを対面させ、又、曲面を呈する左右側面４及び５の側面同士を対面させた際に、前記エア−ハウスＨの各出入口８〜１１の各蝶棒側列歯Ａと蝶棒ｐ、及び箱側列歯Ｂと箱ｎは、一対になる連結幌１２の各幌１２ａ及び１２ｂのそれぞれに設けた各蝶棒側列歯Ａと蝶棒ｐ、及び箱側列歯Ｂと箱ｎに対して、蝶棒側列歯Ａと箱側列歯Ｂとが確実に向き合って噛合する位置関係に設置する。
また、１６は扉部で、エア−ハウスＨの前後左右の各出入口８〜１１に左右のファスナ−１７を介して巻上自在に設けられる。
【００１２】
【実施例】
この実施例において、エア−ハウスＨは、図１に示すように、前面出入口８に箱ｎが右側位置となるように箱側列歯Ｂを設け、後面出入口９に蝶棒ｐが右側位置となるように蝶棒側列歯Ａを設け、左側面出入口１０に箱ｎが前面側位置となるように箱側列歯Ｂを設け、右側面出入口１１に蝶棒ｐが前面側位置となるように蝶棒側列歯Ａが設けられる。そして、連結幌１２は、一方の幌１２ａの湾曲縁１４ａに箱側列歯Ｂを設け、垂直縁１３ａに蝶棒列歯Ａを設け、他方の幌１２ｂの垂直縁１３ｂに箱側列歯Ｂを設け、湾曲縁１４ｂに蝶棒側列歯Ａが設けられる。また、幌１２ａ及び１２ｂのそれぞれの列歯Ａ及びＢの蝶棒ｐ及びｎとは、図２に示すように、同じ向きに位置させる。
【００１３】
図４はエア−ハウスを直列に接続して示す平面図で、エア−ハウスＨ1 の後面出入口９に設けた蝶棒側列歯Ａと、他のエア−ハウスＨ2 の前面出入口８に設けた箱側列歯Ｂを歯合することにより、二棟のエア−ハウスＨ1 とＨ2 とが直列に接続され、更に、三棟、四棟を直列に増加接続することができる。
【００１４】
図５はエア−ハウスをＴ字型に接続する場合を示す平面図で、エア−ハウスＨ１の右側出入口１１に設けた蝶棒側列歯Ａと連結幌１２の幌１２ａの湾曲縁１４ａに設けた箱側列歯Ｂを歯合し、そして、幌１２ａから幌部１２ｂを分離して、幌１２ａの垂直縁１３ａに設けた蝶棒側列歯Ａを他のエア−ハウスＨ2 の前面出入口８の箱側列歯Ｂを歯合することにより、二棟のエア−ハウスＨ1 とＨ2 とをＴ字型に接続することができる。また、図５のＴ字型接続されたエア−ハウスＨ2 の後面出入口９に設けた蝶棒側列歯Ａに、幌１２ａから分離した他方の幌１２ｂの垂直縁１３ｂに設けた箱側列歯Ｂを歯合し、この幌１２ｂの湾曲縁１４ｂに設けた蝶棒側列歯Ａに更に他のエア−ハウスＨ3 の左側面出入口１０に設けた箱側列歯Ｂを歯合することにより、図６に示すように、三棟のエア−ハウスＨ1 、Ｈ2 、Ｈ3 をＨ型に接続することができる。
【００１５】
図７はエア−ハウスを並列に接続する場合を示す平面図で、二棟のエア−ハウスＨ1 とＨ2 との前面出入口８を同じ向きにして並べると、ハウスＨ1 の右側面出入口１１とＨ2 の左側面出入口１０とが向き合って位置する。そして、一対の幌１２ａと１２ｂとを接続した連結幌１２は、一方の幌１２ａの湾曲縁１４ａの箱側列歯ＢとハウスＨ1 の右側面出入口１１の蝶棒側列歯Ａを歯合し、他方の幌１２ｂの湾曲縁１４ｂの蝶棒側列歯Ａをエア−ハウスＨ2 の左側面出入口１０の箱側列歯Ｂに歯合することにより、二棟のエア−ハウスＨ1 とＨ2 とを並列に接続することができる。また、図７の並列設置されたエア−ハウスＨ2 の右側に更に他のエア−ハウスＨ3 を同じ向きに並列配置すると、エア−ハウスＨ2 の右側面出入口１１とエア−ハウスＨ3 の左側面出入口１０とが向き合うので、前記の並列接続と同様に連結幌１２を介して接続することにより、三棟を並列して接続することができる。更に、四棟、五棟と接続することが可能である。
【００１６】
【発明の効果】
本発明において、一方縁に、エア−ハウスの左右側面出入口に相対する曲面をもち、反対縁には、垂直面をもつ一対の幌からなる連結幌を提供することにより、蒲鉾型エア−ハウスの曲面を呈する左右側面出入口と他のエア−ハウスの垂直面を呈する前後面出入口との結合は勿論のこと、曲面を呈する左右側面の出入口同士の結合及び分離を可能とし、設営現場で戸惑うことなく複数のエア−ハウスの連結作業を短時間でなし得る。
【００１７】
また、連結幌の両縁にスライドファスナ−の箱側列歯と蝶棒側列歯のうちのどちらかの列歯のみを互いに異ならせてそれぞれ取り付けてあり、エア−ハウスの左右側面出入口及び前後面出入口には、連結幌の各列歯をそれぞれ組対手とできるスライドファスナ−の列歯を取り付けることにより、設営の設計を、現場及び目的に応じて選択的に行うことができ、複数の、各個に独立したエア−ハウスを直列にもＴ型にもＨ型にも通路で結合した連結型エア−ハウスが得られる。しかも、連結幌はエア−ハウスの左右の側面出入口の曲面に一致する曲面形状をもち、形状が簡素であるので、スライドファスナ−で結合しても安定した強度が得られる。
【００１８】
更に、エア−ハウスの各出入口は布帯を介して各列歯のみが設けられので、エア−ハウスの重量が運搬や設営に負担をかけることなく、従来のエア−ハウスの収容面積を確保することができる等の効果を奏する。
【図面の簡単な説明】
【図１】本発明のエア−ハウスを一部切欠して示す斜視図である。
【図２】本発明の一対の幌部を分離して示す連結幌の斜視図である。
【図３】本発明のエア−ハウスの両側面と一対になる幌部の接合状態を示す正面図である。
【図４】本発明のエア−ハウスを直列に接続して示す平面図である。
【図５】本発明のエア−ハウスをＴ字型に接続する場合を示す平面図である。
【図６】本発明のエア−ハウスをＨ型に接続する場合を示す平面図である。
【図７】本発明のエア−ハウスを並列に接続する場合を示す平面図である。
【図８】従来のエア−ハウスを一部切欠して示す斜視図である。
【符号の説明】
Ｈ      エア−ハウス
Ａ      蝶棒側列歯
Ｂ      箱側列歯
ｐ      蝶棒
ｎ      箱
ｓ      スライダ−
１      縦気柱
２      横気柱
３      天幕布
４      左側面
５      右側面
６      前面
７      後面
８      前面出入口
９      後面出入口
１０    右側面出入口
１１    左側面出入口
１２    連結幌
１２ａ，１２ｂ    幌
１３ａ，１３ｂ    垂直縁
１４ａ，１４ｂ    湾曲縁
１５    布帯
１６    扉部
１７    ファスナ−
【図１】
0003978693.tif 000002
【図２】
0003978693.tif 000003
【図３】
0003978693.tif 000004
【図４】
0003978693.tif 000005
【図５】
0003978693.tif 000006
【図６】
0003978693.tif 000007
【図７】
0003978693.tif 000008
【図８】
0003978693.tif 000009